(57)【特許請求の範囲】
【請求項１】
内部容積を画定するリザーバの壁に形成され、かつ前記リザーバの前記内部容積と流体連通する開口部と、
前記開口部に近接する前記リザーバの前記壁上に保持され、ガス抜き位置と非ガス抜き位置との間で移動するよう構成され、前記非ガス抜き位置にある際には前記開口部の真上に位置付けられ、かつ、前記開口部を閉じ、前記ガス抜き位置にある際には前記開口部の真上に位置付けられず、かつ、前記開口部を閉じない密封面を備える閉鎖部材と、
前記閉鎖部材が前記ガス抜き位置にあるときに前記閉鎖部材を前記リザーバの前記壁上に保持するよう構成される閉鎖部材保持器と、
前記閉鎖部材が前記非ガス抜き位置に移動される際に前記閉鎖部材に対して圧縮力を発生するよう構成されたカム面と、を備えるベントアセンブリであって、
前記密封面が前記開口部の真上に位置付けられる際に、前記圧縮力が前記閉鎖部材の前記密封面を前記リザーバの前記壁に対して押し込む、ベントアセンブリ。
【請求項２】
前記閉鎖部材が、前記ガス抜き位置と前記非ガス抜き位置との間で直線移動するように構成されている、請求項１に記載のベントアセンブリ。
【請求項３】
前記閉鎖部材が、前記ガス抜き位置と前記非ガス抜き位置との間で移動する際に、前記リザーバの前記壁を通って延在する軸の周りに回転するように構成されている、請求項１に記載のベントアセンブリ。
【請求項４】
ベントアセンブリを開閉する方法であって、
閉鎖部材を非ガス抜き位置とガス抜き位置との間で移動させる工程を含み、
前記閉鎖部材が前記非ガス抜き位置にある際には前記閉鎖部材上の密封面が開口部の真上に位置付けられ、かつ、前記開口部を閉じ、前記閉鎖部材が前記ガス抜き位置にある際には前記密封面が開口部の真上に位置付けられず、かつ、前記開口部を閉じず、
前記閉鎖部材の前記ガス抜き位置から前記非ガス抜き位置への移動によって前記閉鎖部材に圧縮力が発生し、それにより、前記密封面が前記開口部の真上に位置付けられる際に前記封鎖部材の前記密封面が前記リザーバの前記壁に対して押し込まれる、方法。
【請求項５】
ベントアセンブリを開閉する方法であって、
リザーバの壁から延在するポスト上に取り付けられた閉鎖部材を回転させる工程を含み、
前記閉鎖部材が、前記ポスト及び前記壁を通って延在する軸の周りに前記ポスト上で回転し、
前記閉鎖部材が、非ガス抜き位置とガス抜き位置との間で回転し、
前記非ガス抜き位置では前記閉鎖部材上の密封面が開口部の真上に位置付けられ、かつ、前記開口部を閉じ、前記ガス抜き位置では前記密封面が開口部の真上に位置づけられず、かつ、前記開口部を閉じず、
前記閉鎖部材の前記ガス抜き位置から前記非ガス抜き位置への回転によって前記ポスト上の閉鎖部材保持器と前記リザーバの前記壁上のカム面との間で前記閉鎖部材に圧縮力が発生し、それにより、前記密封面が前記開口部の真上に位置付けられる際に前記閉鎖部材の前記密封面が前記リザーバの前記壁に対して押し込まれる、方法。
【発明の詳細な説明】
【技術分野】
【０００１】
ベントアセンブリ及びベントアセンブリを含むリザーバが本明細書で開示される。ベントアセンブリは、ガス抜き位置と非ガス抜き位置との間で移動可能である。
【背景技術】
【０００２】
液体を収容するリザーバは、液体がそこから取り除かれるにつれて空気がリザーバに入るようにガス抜きを必要とすることが多い。ガス抜きを必要とすることがあるリザーバの一例は、スプレーガンに液体を供給するために使用されるものである。スプレーガンは、液体コーティング、例えば、プライマー、塗料、及び／又はクリアーコートで車両をスプレイ塗装する際に、車体修理店で広く使用される。典型的には、スプレーガンは、本体、ノズル及びトリガを含む。液体コーティングは、典型的には、スプレーガンに取り付けたリザーバによって、スプレーガンに供給される。
【０００３】
例えば、車体修理店における液体材料の前処理及びスプリングのための使い捨てリザーバの使用は、短納期及び高い処理能力に寄与するために一般的に受容されている術式である。使い捨てリザーバは、典型的には、リザーバを閉じるために、かつスプレーガンに取り付けることができ、かつそこを通して液体がスプレーガンに供給される構造を提供するために蓋を含む。使用の際に、このリザーバは、典型的には、その中に収容される液体が重力によってスプレーガンに流れ込むような向きで配置される。かかるリザーバでは、ベントは、典型的には、液体がスプレーガンに供給されているときに、リザーバ内に真空の形成を防止するために使用され、このことがスプレーガンへの一定の液体流量の維持に寄与することができる。ベントが必要とされるいくつかのリザーバの潜在的な例は、米国特許第７，０９０，１４８  Ｂ２号（Ｐｅｔｒｉｅら）及び欧州特許第０９５４３８１  Ｂ２号（Ｊｏｓｅｐｈら）に記載されている。
【発明の概要】
【発明が解決しようとする課題】
【０００４】
しかしながら、ベント付リザーバの１つの潜在的な問題は、リザーバが保管状態にある場合など、リザーバが充填されているときのベント又はベント（複数）を通しての液体の漏れである。
【課題を解決するための手段】
【０００５】
本明細書に記載されているリザーバで使用され得るベントアセンブリは、ガス抜き位置と非ガス抜き位置との間で移動可能である。ベントアセンブリは、それぞれ、開口部と閉鎖部材とを含む。閉鎖部材は、カム面に沿った運動が圧縮力を発生するように構成され、これによって、閉鎖部材上の密封面がリザーバの壁に対して、並びに開口部の真上へ押し付けられ、これによって、ベントアセンブリが非ガス抜き位置にある。閉鎖部材の運動は、ガス抜き位置と非ガス抜き位置との間を移動する際に、例えば、回転運動又は直線運動（すなわち、並進の運動）であり得る。
【０００６】
ガス抜き位置にある際に、ベントアセンブリは、液体がリザーバから取り除かれるにつれて（たとえば、液体がスプレーガンに供給されるにつれて）、空気がリザーバに入ることができるように、空気が開口部を通過可能にさせる。本明細書に記載されるベントアセンブリは、ガス抜き位置と非ガス抜き位置との間で移動可能であり、これは、１つ以上の実施形態において、ベントが常に開いた状態にある（すなわち、ガス抜き位置にある）とすれば、リザーバがリザーバ内の液体がベントを通して漏出する向きにありながら、リザーバは液体で満たされていることができるためである。例えば、１つ以上の実施形態では、リザーバは、リザーバを充填するために使用する液体がベントアセンブリの上方に位置する向き（液体に作用する重力の方向に対して）にありながら、リザーバが充填されることができる。かかる配置においては、ベントアセンブリを閉じることができない限り、又は本明細書に記載されているような非ガス抜き位置に配置できない限り、液体はベントアセンブリを通して漏出する可能性がある。かかる配置では、ベントアセンブリがガス抜き位置にある際に、リザーバの向きを変更させる（たとえば、リザーバを逆さにする）ことは、液体が典型的にはベントアセンブリを通して漏出しないように、ベントアセンブリを液体の上方に定置させることができる。例えば、スプレーガンに取り付けるためにリザーバを逆さにする場合、ベントアセンブリは、分配される液体の上方に位置することが好ましい。
【０００７】
１つ以上の実施形態では、本明細書に記載されているベントアセンブリは、内部容積を画定するリザーバの壁に形成され、かつ前記リザーバの内部容積と流体連通する開口部と；前記開口部に近接する前記リザーバの壁上に保持され、ガス抜き位置と非ガス抜き位置との間で移動するよう構成され、前記非ガス抜き位置にある際には前記開口部を閉じ、前記ガス抜き位置にある際には前記開口部を閉じない密封面を備える閉鎖部材と、前記閉鎖部材が前記ガス抜き位置にあるときに前記閉鎖部材をリザーバの前記壁上に保持するよう構成される閉鎖部材保持器と、前記閉鎖部材が前記非ガス抜き位置に移動される際に前記閉鎖部材に対して圧縮力を発生するよう構成されたカム面と、を含むことができ、前記密封面が前記開口部の真上に位置付けられる際に、前記圧縮力が前記閉鎖部材の前記密封面を前記リザーバの前記壁に対して押し込む。
【０００８】
１つ以上の実施形態では、前記閉鎖部材が、前記ガス抜き位置と前記非ガス抜き位置との間で直線移動するように構成されている。
【０００９】
１つ以上の実施形態では、前記閉鎖部材が、前記ガス抜き位置と前記非ガス抜き位置との間で移動する際に、前記リザーバの前記壁を通って延在する軸の周りに回転するように構成されている。
【００１０】
１つ以上の実施形態では、カム面が、前記閉鎖部材と前記リザーバの前記壁との間に位置し、前記閉鎖部材の前記ガス抜き位置から前記非ガス抜き位置までの回転によって前記閉鎖部材保持器と前記カム面との間に圧縮力が発生し、それにより、前記密封面が開口部の真上に位置付けられる際に前記閉鎖部材の前記密封面が前記リザーバの前記壁に対して押し込まれる。
【００１１】
１つ以上の実施形態では、前記閉鎖部材が、前記リザーバの前記壁から延在するポスト上に取り付けられ、前記閉鎖部材が、前記ポスト上で回転するように構成され、前記閉鎖部材保持器が、前記ポスト上に位置し、かつ前記閉鎖部材が前記ガス抜き位置にある際に前記閉鎖部材を前記ポスト上に保持するように構成され、前記密封面が前記開口部の真上に位置付けられる際に、前記圧縮力が前記閉鎖部材保持器と前記カム面との間で発生される。１つ以上の実施形態では、前記閉鎖部材保持器が、前記軸に対して前記ポストから外側に延在する肩部を備え、１つ以上の実施形態では、前記閉鎖部材は、前記ポストに対向する内側面と、前記リザーバの前記壁の逆方向を向いた上面と、を備え、前記閉鎖部材が、前記内側面と前記上面との間に段階的移行部を備え、前記内側面の上縁は、前記閉鎖部材の前記上面の内縁と一致しない。１つ以上の実施形態では、前記閉鎖部材保持器の前記肩部が、前記閉鎖部材が前記非ガス抜き位置にある際に前記閉鎖部材の前記内側面の前記上縁に接触する。
【００１２】
１つ以上の実施形態では、前記開口部が、前記カム面を通って延在する。１つ以上の実施形態では、前記カム面が、閉鎖部材を回転させる前記軸に対して垂直な平面内に位置する開口面部分を備え、前記開口部が、前記カム面の前記開口面部分を通って延在する。
【００１３】
１つ以上の実施形態では、前記リザーバが、穴と、前記穴の真上で前記リザーバに取り付けられる際に、前記穴を閉じるよう構成された着脱可能な蓋と、を備える。１つ以上の実施形態では、前記リザーバが、前記穴の反対側に位置する基部を備え、前記開口部が、前記基部内に位置する。１つ以上の実施形態では、前記ベントアセンブリの前記開口部が、前記蓋内に位置する。
【００１４】
１つ以上の実施形態では、前記ベントアセンブリは、前記閉鎖部材が前記非ガス抜き位置にある際に前記閉鎖部材の移動を一方向に制限するように構成された停止部を備える。１つ以上の実施形態では、前記停止部が、前記リザーバの前記壁から突出する。１つ以上の実施形態では、前記停止部が、前記カム面に近接して位置する。
【００１５】
１つ以上の実施形態では、前記ベントアセンブリが、複数の開口部を備え、前記閉鎖部材が、複数の密封面を備え、前記閉鎖部材が前記非ガス抜き位置にある際に、前記複数の開口部の各開口部が前記複数の密封面のうちの１つの密封面によって閉じられる。１つ以上の実施形態では、前記閉鎖部材が、複数のレリーフ面を備え、前記閉鎖部材が前記ガス抜き位置にある際に、１つのレリーフ面が前記複数の開口部の各開口部の上方に位置付けられる。１つ以上の実施形態では、前記ベントアセンブリが、複数のカム面を備え、前記複数の開口部の各開口部が、前記複数のカム面の１つのカム面内に位置し、前記閉鎖部材が前記非ガス抜き位置にある際に、前記複数の開口部の各開口部が前記複数の密封面のうちの１つの密封面によって閉じられる。
【００１６】
１つ以上の実施形態では、本明細書に記載されているベントアセンブリを開閉する方法は、閉鎖部材を非ガス抜き位置とガス抜き位置との間で移動させる工程を含むことができ、前記閉鎖部材が前記非ガス抜き位置にある際には前記閉鎖部材上の密封面が前記開口部を閉じ、前記閉鎖部材が前記ガス抜き位置にある際には前記密封面が前記開口部を閉じず、前記閉鎖部材の前記ガス抜き位置から前記非ガス抜き位置への移動によって前記閉鎖部材に圧縮力が発生し、それにより、前記密封面が前記開口部の真上に位置付けられる際に前記閉鎖部材の前記密封面が前記リザーバの前記壁に対して押し込まれる。
【００１７】
１つ以上の実施形態では、本明細書に記載されているベントアセンブリを開閉する方法は、リザーバの壁から延在するポスト上に取り付けられた閉鎖部材を回転させる工程を含むことができ、前記閉鎖部材が、前記ポスト及び前記壁を通って延在する軸の周りに前記ポスト上で回転し、前記閉鎖部材が、非ガス抜き位置とガス抜き位置との間で回転し、前記非ガス抜き位置では前記閉鎖部材上の密封面が前記開口部を閉じ、前記ガス抜き位置では、前記密封面が前記開口部を閉じず、前記閉鎖部材の前記ガス抜き位置から前記非ガス抜き位置への回転によって前記ポスト上の前記閉鎖部材保持器と前記リザーバの前記壁上のカム面との間で前記閉鎖部材に圧縮力が発し、それにより、前記密封面が前記開口部の真上に位置付けられる際に前記閉鎖部材の前記密封面が前記リザーバの前記壁に対して押し込まれる。１つ以上の実施形態では、閉鎖部材保持器は、前記ポストの外面上に位置する肩部を備え、前記閉鎖部材が前記非ガス抜き位置にある際に、前記閉鎖部材が前記肩部と前記カム面との間で圧縮される。１つ以上の実施形態では、前記閉鎖部材が、前記ポストに対向する内側面と、前記リザーバの前記壁の逆方向を向いた上面と、を備え、前記閉鎖部材が、前記内側面と前記上面との間に段階的な移行部を備え、前記内側面の上縁は、前記閉鎖部材の前記上面の内縁と一致せず、前記閉鎖部材が前記非ガス抜き位置にある際に、前記閉鎖部材保持器の前記肩部が前記閉鎖部材の前記内側面の前記上縁に接触する。
【００１８】
本明細書で使用される場合、「液体」という用語は、流動性材料の全ての形態を指し、例えば、塗料、プライマー、ベースコート、ラッカー、ワニス、及び同様の塗料のような材料を含む（制限なく）スプレーガンを使用して表面に適用することができる流動性材料（それらが、表面に色を付けることを意図されるか、されないかに関わらず）、並びに材料の特性及び／又は意図される用途によって、霧化又は非霧化形態で適用されてもよい、接着剤、シーラー、充填剤、パテ、粉末コーティング、発破用粉末、研磨剤スラリー、離型剤、及び鋳物包帯剤等の他の材料を含み、「液体」という用語は相応に解釈されるものとする。
【００１９】
「好ましい」及び「好ましくは」という語は、特定の状況下で特定の利点をもたらし得る本明細書に記載される実施形態を指す。しかしながら、他の実施形態もまた、同じ状況又は他の状況下で、好ましい場合がある。更に、１つ以上の好ましい実施形態の詳細説明は、他の実施形態が有用でないことを示唆するものではなく、また、本発明の範囲から他の実施形態を排除することを意図するものでもない。
【００２０】
本明細書及び添付の特許請求の範囲で使用される場合、単数形の「１つの（a）」、「１つの（an）、及び「該（the）」は、文脈がそうではないと明確に示さない限り、複数の指示対象を含む。したがって、例えば、「１つの（a）」又は「該（the）」構成要素への言及は、複数の構成要素及び当業者に既知のそれらの等価物のうちの１つ以上を含み得る。更に、「及び／又は」という用語は、列記される要素の１つ又は全て若しくは列記される要素の任意の２つ以上の組み合わせを意味する。
【００２１】
「含む」という用語及びその変形は、これらの用語が添付の説明で用いられる場合、制限的意味を有さないことに留意する。更に、「１つの（a）」、「１つの（an）」、「該（the）」、「少なくとも１つ」、及び「１つ以上」は、本明細書において、交換可能に使用される。
【００２２】
左、右、前方、後方、上部、底部、側、上方、下方、水平、垂直等の相対語が、本明細書において使用される場合があり、その場合、特定の図面において見られる視点からである。これらの用語は、説明を簡単にするためだけに使用され、しかしながら、本発明の範囲を決して制限しない。
【００２３】
上記の要約は、本明細書で記述されるリザーバ及び関連するベントアセンブリの各実施形態又はあらゆる実現形態を記述することを意図したものではない。むしろ、本発明のより完全な理解は、添付図面の図を考慮して、以下の発明を実施するための形態及び特許請求の範囲を参照することによって、明らかとなり、理解される。
【図面の簡単な説明】
【００２４】
【図１】本明細書に記載されているリザーバ内のベントアセンブリの１つの例示的な実施形態の斜視図である。
【図２】図１のベントアセンブリの平面図である。
【図３】ベントアセンブリのカム面及び開口部を露出させるために閉鎖部材が取り除かれた状態の図１及び図２のベントアセンブリの平面図である。
【図４】図３の側面図である。
【図５】図１及び図２のベントアセンブリにおいて使用する閉鎖部材の底面図である。
【図６】図１及び図２のベントアセンブリにおいて使用する閉鎖部材の頂面図である。
【図７】図６中の線７−７に沿って取られた図６の閉鎖部材の断面図である。
【図８】図１及び図２に示された閉鎖部材における閉鎖部材密封面と開口部とポスト上の閉鎖部材保持器との間の相互作用の拡大断面図である。
【図９】非ガス抜き位置における図１及び図２のベントアセンブリの拡大斜視図である。図９の図は、図２中の線９−９に沿って取られた部分断面図である。
【図１０】ガス抜き位置への閉鎖部材の回転後の図９のベントアセンブリの図である。
【図１１】本明細書で記載されるリザーバ内で使用することができるベントアセンブリの別の例示的な実施形態の斜視図である。
【図１２】図１１中の線１２−１２の沿って取られた図１１のベントアセンブリの断面図である。
【図１３】本明細書に記載されているベントアセンブリの別の例示的な実施形態の透視部分断面図である。
【図１４】本明細書に記載されているベントアセンブリの別の例示的な実施形態の部分断面図である。
【発明を実施するための形態】
【００２５】
以下の例示的な実施形態の説明では、本明細書の一部を形成する具体的な実施形態が実例として示されている、添付図面の図が参照される。本発明の範囲から逸脱することなく他の実施形態が利用されてもよく、並びに構造的変更が行われてもよいことは理解されるであろう。
【００２６】
本明細書に記載されるベントアセンブリ及びリザーバは、液体がリザーバ内に提供され、液体の除去を阻害し得る真空の形成を回避するためにガス抜きを必要とする方法で、液体がそこから分配される多種多様な環境で使用することができる。かかる環境の一例は、分配される液体を収容するリザーバが液体スプレーガン上に取り付けられている液体スプレーデリバリーシステムにおけるものである。リザーバは、スプレーガンに直接取り付けてもよいが、１つ以上の実施形態では、本明細書に説明されるリザーバ内の液体を、供給ライン（例えば、ホース、チューブ等）を通してスプレーガンに供給することができる。本明細書で説明されるリザーバが使用され得る液体スプレーガンは、好ましくは、手持ち式のスプレーガンとして使用するためにサイズ決めすることができ、１種以上の選択された液体を噴霧する工程を伴う方法で、使用することができる。
【００２７】
本明細書で説明されるベントアセンブリの１つの例示的な実施形態は、図１〜１０と関連付けて示される。図１を参照すると、ベントアセンブリ２０は、容器１２と、容器１２によって画定される開口の真上に位置する着脱可能なふた１４とを含むリザーバ１０の壁内に位置する。リザーバ１０はまた、開口から容器１２の反対端上に位置する基部１６を含む。ふた１４を開口の真上で容器１２に取り付ける際に、着脱可能なふた１４（これを容器１２の開口から取り外すことができることで、例えば、リザーバ１０は、この開口を通して液体で充填することができる）は、容器１２の開口を閉じる。容器１２は、例えば、ポリプロピレン等の安価なポリマー材料から構成されてもよいが、この容器本体は、容器アセンブリ１０で使用されることになる液体を収容するために好適である任意の材料から構成されてもよい。
【００２８】
図１に図示される例示的な実施形態では、ベントアセンブリ２０は、リザーバ１０の基部１６内に位置する。図１に図示される例示的な実施形態におけるベントアセンブリ２０は、基部１６内に位置しているが、本明細書で記載されるベントアセンブリは、リザーバ１０のどの壁内にも位置することができ、基部１６はベントアセンブリ２０が位置することができる壁の一例にすぎない。例えば、１つ以上の実施形態では、ベントアセンブリ２０は、容器１２又は蓋１４の一部を形成するどの壁内にも位置することができる。ベントアセンブリ２０は、リザーバ１０が、その中に保持された液体を分配するために使用される際に、典型的にはリザーバ１０内の液体の上方に（重力に対して）位置付けられた場所にあってよい。更に、リザーバ１０は、１つのみのベントアセンブリを含むが、１つ以上の実施形態では、リザーバ１０は、２つ又はそれ以上のベントアセンブリを含むことができ、これらのベントアセンブリは、リザーバの同一の壁内又は異なる壁内に位置することができる。
【００２９】
本明細書で説明するように、ベントアセンブリ２０は、ガス抜き位置と非ガス抜き位置との間で移動可能である。ベントアセンブリ２０は、リザーバ１０が、例えば容器１２の開口を通して液体で充填される際に、典型的には非ガス抜き位置で配置される。図１には示していないが、蓋１４（又はリザーバの任意のその他の好適な部分）は、１つ以上の実施形態において、例えば、表面への塗布用にリザーバ内に保持された液体をスプレーガンに分配するためのスプレーガンに対するリザーバ１０の接続を容易にすることができる、例えばポート等の構造を含む。ベントアセンブリ２０を非ガス抜き位置に配置することによって、蓋がベントアセンブリ２０の上方に位置する際に、リザーバ１０を充填するために使用される液体のベントアセンブリ２０を通しての漏出が、典型的には防止される。
【００３０】
１つ以上の実施形態では、リザーバ１０は、使用の際に（例えば、スプレーガンに取り付けられるとき）、基部１６が蓋１４の上方に位置するように逆さにされてもよい。この向きの変更によって、ベントアセンブリ２０はリザーバ１０内の液体の上方に定置される。ベントアセンブリ２０がリザーバ内で液体の上方に位置する際に、非ガス抜き位置からガス抜き位置へのベントアセンブリ２０の運動によって、液体をベントアセンブリ２０を通して漏出させることなく、リザーバ１０の容積内への空気の流入が可能になる。
【００３１】
図２〜１０は、本明細書に記載されているリザーバ１０と関連付けて使用され得るベントアセンブリ２０の１つの例示的な実施形態の種々の構成要素及び特徴部を示している。図２を参照すると、ベントアセンブリ２０は、ポスト４０上に取り付けられた閉鎖部材３０を含み、このポスト４０は、例示的な実施形態では、リザーバ１０の基部１６から延在している（とはいえ、本明細書で説明される通りに、ベントアセンブリは、リザーバのどの壁内にも位置することができる）。容器１２の図示した実施形態は、容器が円筒状の壁と基部１６（これは、用語「壁」が本明細書で使用されるように、壁でもある）とを含むように概ね円筒形であるが、本明細書に記載されるベントアセンブリが使用され得る他のリザーバは、例えば、基部を含まなくともよく、１つの壁だけを有してもよく、２つ、３つ又はそれ以上の壁等を有してもよい。本質的に、本明細書に記載されるベントアセンブリを使用することができるリザーバは、液体が内部に収容されることができ、かつ本明細書に記載されるベントアセンブリが位置することができる容積を画定する少なくとも１つの壁を含む任意の好適な形状を取ることができる。
【００３２】
閉鎖部材３０は、リザーバ１０のポスト４０及び基部１６を通って延在する軸１１の周りにポスト４０上で回転するように構成されている。本明細書で説明する通りに、閉鎖部材３０は、ガス抜き位置と非ガス抜き位置との間で軸１１の周りに回転するように構成されている。
【００３３】
閉鎖部材３０は、ユーザが手で閉鎖部材３０を回転させる際に補助するために、延長部３２を含んでもよい。しかしながら、閉鎖部材３０は、この機能のために設計されたツールを用いて回転するよう設計されてもよいことを理解するべきである。また、延長部３２は、ポスト４０の周りに閉鎖部材３０の手動回転を容易にするために使用することができる多種多様な構造の一例を表すものに過ぎない。
【００３４】
図３及び図４は、閉鎖部材３０をベントアセンブリ２０から取り外した状態におけるポスト４０及び関連特徴部を示す。図３を参照すると、内部を通って軸１１が延びている、ポスト４０は、ベントアセンブリ２０のガス抜き位置及び非ガス抜き位置の双方を提供するために閉鎖部材３２と協働する特徴部によって包囲されている。これらの特徴部は、開口面部分５２において終端するカム面５０を含む。例示的な実施形態では、開口面部分５２のそれぞれは、その中に位置する開口部２２を含むことによって、この開口部２２がカム面５０の開口面部分５２を通して延在する。開口部２２は、基部１６を通して延在し、開口部２２が遮断されていない場合、あるいは本明細書に記載されるような別の方法で閉鎖部材３０上の特徴部によって閉じられていない場合、空気を容器１２内に流入させる。例示的な実施形態は、４つの開口部を含むが、本明細書に記載されているリザーバ内で使用するベントアセンブリ２０は、わずか１つの開口部又は要求されるガス抜き性能に関連する多種多様な因子に基づいて選択される任意の他の数の開口部を含んでもよいことを理解するべきである。図３及び図４に示す特徴部は、ベントアセンブリ２０が非ガス抜き位置にある際に、ポスト４０の周りの閉鎖部材３０の回転を制限するために提供される停止部５４を更に含む。
【００３５】
図４に更に示しているものは、カム面５０及び開口面部分５２の上方でポスト４０の上に位置する閉鎖部材保持器４２である。閉鎖部材保持器４２は、ポスト４０から外側に延在する肩部４４を含む（外側とは、軸１１から半径方向に離れることである）。肩部４４は、基部１６及びカム面５０並びにそれらの開口面部分５２に面している。閉鎖部材保持器４２は、ベントアセンブリがガス抜き位置にある際に、閉鎖部材３０をポスト４０上に保持するために、ポスト４０上の閉鎖部材３０と相互作用することが好ましい。この機能は、図２〜図１０の例示的な実施形態では、閉鎖部材３０と閉鎖部材保持器４２との間の機械的干渉によってもたらされる。閉鎖部材保持器４２はまた、本明細書に記載されているように、開口面部分５２内の開口部２２の閉鎖又は封鎖において補助する圧縮力を提供するために、閉鎖部材３０と相互作用することも好ましい。
【００３６】
カム面５０は、閉鎖部材３０が、ガス抜き位置から非ガス抜き位置へ及びその逆に回転しているとき、閉鎖部材３０の比較的円滑な動作がなされるように、基部１６から開口表面部分５２に向かって徐々に上昇することが好ましい。閉鎖部材３０の密封面が開口面部分５２を通り過ぎて回転することは、例示的な実施形態において、開口面部分５２に隣接して位置付けられた停止部５４によって防止される。停止部５４は、ポスト４０の周りに閉鎖部材３０の回転を制限するために使用することができる多種多様な構造の１つの実施形態に過ぎない。例えば、１つ以上の実施形態では、停止部はポスト４０を通して延在する軸１１の周りの閉鎖部材３０の回転を制限するために、延長部３２（例えば、図２の延長部３２を参照）と相互作用するように基部１６上に位置してもよい。
【００３７】
必ずしも必要というわけではないが、比較的フラットであり、閉鎖部材３０がその周りに回転する軸１１に対して垂直である開口面部分５２を有するカム面５０を提供することが有益であり得る。本明細書で説明される通りに、この向きは、閉鎖部材３０による開口部２２の改善された閉鎖をもたらすことができる。
【００３８】
１つ以上の実施形態では、図３及び図４に図示する特徴部の全ては、同一の材料、例えばポリプロピレンなどの熱可塑性物質から成形されていることが好ましい場合もある。しかしながら、かかる構成体は必要とされず、異なる特徴部の１つ以上は、任意の好適な技術又は技術の組み合わせによって共に接合され又は接続される異なる材料から構成されてもよい。１つ以上の実施形態では、カム面５０、開口面部分５２、及び停止部５４を構成するために使用される追加の材料が、ポスト４０と共に、開口部２２の適切な動作及び閉鎖を容易にする基部１６に対して追加の剛性をもたらすことができる。
【００３９】
図５〜図７を参照すると、閉鎖部材３０の例示的な実施形態の種々の特徴部が記述されている。図５は、閉鎖部材３０の下面又は底面、すなわち、閉鎖部材３０の表面であって、かつリザーバアセンブリ１０の基部１６に面している表面の図である。延長部３２は、密封面３４及び密封面３４の間に位置付けられたレリーフ面３５と共に示されている。本明細書に記載されるポスト４０の周りに閉鎖部材３０の回転によって、閉鎖部材３０がガス抜き位置にある際に、レリーフ面３５が開口部２２の真上に位置するように、密封面３４及びレリーフ面３５が移動する。レリーフ面３５は開口部２２を閉じないために、空気が開口部２２を通過し、リザーバアセンブリ１０の容器１２に入ることを可能にする。図示するように、レリーフ面３５は、必要に応じて、ベントアセンブリを通る空気の運動を更に改良し得る１つ以上の補足のノッチ（刻み目）３５’を含んでもよい。閉鎖部材３０が非ガス抜き位置にある際に、空気が開口部２２を通過することを阻止されるか又は少なくとも厳しく制限されるように、密封面３４は、開口部２２の真上に位置付けられる。密封面３４を開口部２２の真上に位置付けることの効果の別の特徴付けは、密封面３４が、好ましくは、容器１２内の液体が開口部２２を通過しないように、開口部２２の真上に液密のシールを形成することである。
【００４０】
本明細書に記載されているベントアセンブリ２０において使用される閉鎖部材３０は、典型的には開口部２２の数に整合する密封面３４の数を含むであろうが、かかる関連性は必ずしも必要とされない。例えば、１つ以上の実施形態では、閉鎖部材３０がガス抜き位置にあり、密封面３４が開口部２２を閉じるための位置にない場合には、閉鎖部材３０は、閉鎖部材の周囲の周りに完全に又はほぼ完全に延在する単一の密封面を含んでもよい。例えば、閉鎖部材３０は、閉鎖部材３０がレリーフ表面３５を含まない場合でも空気が密封面３４同士の間を通過して開口部２２に入ることができるように、閉鎖部材３０はポスト上に緩やかに保持されるだけでもよい。
【００４１】
図６〜図８を参照すると、開口部２２の改善された封鎖又は閉鎖をもたらすために、本明細書に記載されているベントアセンブリ２０の閉鎖部材３０に含まれ得る他の特徴部を示している。特に、閉鎖部材３０がポスト４０上に取り付けられる場合、閉鎖部材３０は、ポスト４０に対向する内側面３６を含むことができる。閉鎖部材３０はまた、リザーバ１０の基部１６の逆方向を向いた上面３８を含むことができる。閉鎖部材３０は、内側面３６と上面３８との間に段階的な移行部３９を含んでもよく、段階的な移行部３９は閉鎖部材保持器４２と協働する。内側面３６と上面３８との間の段階的な移行部３９では、閉鎖部材３０の内側面３６の上縁３７は、閉鎖部材３０の上面３８の内縁３１に一致しない。
【００４２】
閉鎖部材３０の段階的な移行部３９と閉鎖部材保持器４２との間の位置関係は、図８の拡大断面図で最も良く見ることができる。図８に示すように、閉鎖部材保持器４２の肩部４４は、開口面部分５２に対向し（したがって、基部１６に対向し）、リップ４４は、好ましくは、開口面部分５２内の開口部２２の穴の周囲で開口面部分５２に対して密封面３４の圧縮を提供する方法で、段階的な移行部３９と相互作用する。
【００４３】
図８に示した例示的な実施形態において、開口面部分５２からの閉鎖部材保持器４２の高さｈは、閉鎖部材保持器４２の肩部４４と開口面部分５２との間に位置する閉鎖部材３０の厚さｔよりも小さいことが好ましい（とはいえ、単に明瞭化のために、反対の位置関係が図８に示されている、すなわち、図８では明瞭化のためｈ＞ｔであることを理解するべきである）。この差の結果によって、好ましくは、密封面３４を開口面部分５２に対して押し込める圧縮力が提供される。この圧縮力は、好ましくは、密封面３４と開口面部分５２との間で発生する摩擦のために、開口部２２の閉鎖を改善する力並びに非ガス抜き位置において閉鎖部材３０を保持することを補助する力を含む２つの機能をもたらすことができる。１つ以上の実施形態では、閉鎖部材３０が非ガス抜き位置にある際に、閉鎖部材保持器４２の肩部４４が閉鎖部材３０の内側面３６の上縁３７に接触するときに、圧縮力が生じ得る。
【００４４】
ここで図９及び図１０を参照すると、閉鎖部材３０の動作が、図９では閉鎖部材３０が非ガス抜き位置に位置する状態で、図１０では閉鎖部材３０がガス抜き位置に位置する状態で示されている。図９に示す非ガス抜き位置では、密封面３４は、開口部２２が密封面３４により遮断されるように、開口面部分５２の真上に位置付けられる。図１０に示すガス抜き位置では、レリーフ面３５は、本明細書に記載されているように、空気が開口部２２を通過し容器に入ることができるように、開口部２２の真上に位置している。
【００４５】
図９及び図１０の双方において、ポスト４０上の閉鎖部材保持器４２との間の相互作用が確認される。図９では、閉鎖部材３０は、閉鎖部材保持器４２に当接するとして示されている。図８に示す配置は、閉鎖部材が図９に示すような非ガス抜き配置にある場合の閉鎖部材３０と閉鎖部材保持器４２との間の相互作用の正確な図示であると考えられる。図１０では、隙間４６がポスト４０上の閉鎖部材保持器４２と閉鎖部材３０との間に提供されるように、閉鎖部材３０がガス抜き位置にある。しかしながら、本明細書で説明されるように、閉鎖部材保持器４２は、ガス抜き位置にあっても、閉鎖部材３０がポスト４０上で保持されるように、サイズ及び形状を決めることが好ましい。
【００４６】
本明細書で説明されるように、図３及び図４で示すリザーバ１０及びベントアセンブリ特徴部（たとえば、ポスト４０、開口面部分５２を含めるカム面５０、及び停止部５４）は、例えば、ポリプロピレンなどの熱可塑性材料から成形され得ることが好ましく、閉鎖部材３０を構成するよう選択される材料は、ポスト４０及びその関連特徴部を構成するよう使用される材料と比較してより高いレベルの剛性を呈し得ることが好ましい。例えば、１つの例示的な実施形態では、閉鎖部材３０は、例えば、ナイロン、ガラス充填ナイロン等から製造することができる。閉鎖部材３０は、単一材料から成形され得、ないしは別の方法で構成され得るが、１つ以上の実施形態では、閉鎖部材３０は、複数の異なる材料から構成されてもよい。例えば、密封面は、開口部２２の閉鎖を改良する材料から提供されてもよく、閉鎖部材３０の段階的な移行部３９は、閉鎖部材保持器４２等との相互作用を改良する１つ以上の材料から構成されてもよい。
【００４７】
本明細書に記載されているリザーバ内で使用することができるベントアセンブリ１２０の別の例示的な実施形態が、図１１及び図１２に示されている。ベントアセンブリ１２０は、軸１１１の周りに回転するために、ポスト１４０上に取り付けられた閉鎖部材１３０を含む。閉鎖部材１３０は、ポスト１４０上の閉鎖部材の手動回転を容易にするために提供されている延長部１３２を含む。閉鎖部材１３０はまた、閉鎖部材１３０がガス抜き位置にある際に、壁１１６を貫通して形成された開口部１２２と一直線になるよう提供されている穴１３１を含む。穴１３１及び開口部１２２の配置は、図１１中及び図１２中の両方に確認される。
【００４８】
閉鎖部材１３０が非ガス抜き位置にある際に、閉鎖部材１３０の基部１３３は、開口部１２２を通しての空気の容器への流入を制限するために、開口部１２２の真上に位置付けされる。しかしながら、ガス抜き位置にある際には、空気が開口部１２２を通過できるように、穴１３１及び閉鎖部材１３０は開口部１２２と一直線にされる。
【００４９】
閉鎖部材１３０の基部１３３は、図示した実施形態において、壁１１６から延在する隆起部１１７を受容するよう提供されている任意の凹部を含む。閉鎖部材１３０の基部１３３内の隆起部１１７及びそれに対応する凹部は、ポスト１３０上の閉鎖部材１３０の位置合わせを改善することができる。
【００５０】
ベントアセンブリ１２０と関連付けて示される他の特徴部として、壁１１６から突出し、閉鎖部材１３０の基部１３３から延在する突出部１３７と協働する停止部１５４が挙げられる。停止部１５４及び突出部１３７の配列は、ポスト１４０の周りの閉鎖部材１３０の回転を制限し、好ましくは、閉鎖部材１３０の基部１３３内の穴１３１が、本明細書に記載されているリザーバの壁１６６を貫通して形成された開口部１２２と一直線に並んでいることを確実に示すように配置される。
【００５１】
図１２を参照すると、ポスト１４０は、図示した実施形態では、閉鎖部材１３０をポスト１３０上に保持するために閉鎖部材１３０と協働する閉鎖部材保持器１４２を含む。閉鎖部材保持器１４２は、図示した実施形態では、ポスト１４０から突出し、閉鎖部材１３０で形成された対応する凹部内に入れ子式に設けられる。閉鎖部材１３０とポスト１４０との間で発生する摩擦は、閉鎖部材１３０を所望の位置（この位置が図１１及び図１２に示すようなガス抜き位置、又は閉鎖部材１３０の基部１３３が開口部１２２を閉じる非ガス抜き位置に関わらず）に保持するのに十分であることが好ましい場合がある。閉鎖部材保持器１４２と閉鎖部材１３０内の対応する凹部との間の干渉は、この摩擦発生の一部であり得る。
【００５２】
１つ以上の実施形態では、閉鎖部材１３０がリザーバの壁１１６に対して圧縮されるように、ベントアセンブリ１２０はまた、閉鎖部材保持器１４２と閉鎖部材１３０との間で圧縮力を発生することができる。いかなるかかる圧縮力も、閉鎖部材保持器１４２とリザーバの壁１１６との間の高さにおける差、並びに閉鎖部材保持器１４２を受容する凹部と基部１３３の下面、すなわち、壁１１６に対向する表面との間の閉鎖部材１３０の厚さ又は高さにおける差によって発生することができる。
【００５３】
本明細書に記載されているベントアセンブリ２２０の別の代替実施形態が、図１３の部分断面図で示されている。多くの点では、図１３に示すベントアセンブリは、図９及び図１０に示すベントアセンブリ２０の実施形態と同様である。例えば、図１３に示されているベントアセンブリ２２０は、閉鎖部材２３０の密封面２３４が開口部２２２の真上に位置する非ガス抜き位置にある。ベントアセンブリ２２０は、閉鎖部材２３０をガス抜き位置から非ガス抜き位置へ回転させるときに、閉鎖部材２３０の比較的円滑な動作が達成されるように、壁２１６から開口面部分２５２に向かって徐々に上昇するカム面２５０を含む。開口面部分２５２を通り越しての閉鎖部材２３０の密封面２３４の回転は、例示的な実施形態では、開口面部分２５２に隣接して位置付けられた停止部２５４によって防止される。必ずしも必要というわけではないが、比較的フラットであり、ガス抜き位置と非ガス抜き位置との間で移動するとき、その周りで閉鎖部材が回転する軸２１１に対して垂直である平面内に位置する開口面部分２５２をカム面２５０に提供することは有益であり得る。軸２１１に対する開口面部分２５２のこの向きは、本明細書で説明されるように、閉鎖部材２３０による開口部２２２の改善された閉鎖をもたらす。
【００５４】
図１３に示すベントアセンブリは、ポスト２４０と閉鎖部材保持器２４２とを含む。しかしながら、図１３に示すベントアセンブリと図９及び図１０に示すベントアセンブリ２０との間の違いは、ベントアセンブリ２０のポスト４０がリザーバ１０の壁１６に取り付けられ、壁１６から延びているのに対し、ベントアセンブリ２２０内のポスト２４０は閉鎖部材２３０に取り付けられることで、ガス抜き位置と非ガス抜き位置との間の閉鎖部材２３０の運動中に、ポスト２４０が閉鎖部材２３０と一緒に回転することである。ポスト２４０は、リザーバの壁２１６内の開口部２１７を通って延在している。開口部２１７は、図示した実施形態では、ポスト２４０がその中に入っているスリーブ２１８を含むが、このスリーブ２１８は任意であり、ポスト２４０の長さに整合するよう選択される長さのものである。特に、閉鎖部材２３０が非ガス抜き位置に移動される場合、適切な大きさの圧縮力がカム面２５０の開口面部分２５２と閉鎖部材２５０の密封面２３４の間で発生することができるように、スリーブ２１８の長さは、ポスト２４０の長さ及びカム面２５の高さに対して選択される。
【００５５】
ベントアセンブリの更に別の実施形態を、図１４に示している。上述されたベントアセンブリの例示的な実施形態とは異なり、図１４に示すベントアセンブリ３２０は、図１〜図１３に関連付けて説明された実施形態で使用した回転運動よりはむしろ、ガス抜き位置と非ガス抜き位置との間で直線又は並進運動で移動する閉鎖部材３３０を含む。ベントアセンブリ３２０の閉鎖部材は、ガス抜き位置（実線で示した閉鎖部材３３０を参照）及び非ガス抜き位置（点線で示した閉鎖部材３３０’を参照）の双方で示されている。
【００５６】
ベントアセンブリ３２０の閉鎖部材３３０は、閉鎖部材保持器３４２と壁３１６との間のスロット又は穴内に位置付けられている。開口部３２２は、壁３１６を貫通して延びるように提供される。ベントアセンブリ３２０はまた、閉鎖部材３３０がガス抜き位置から非ガス抜き位置に進められているとき（逆もまた同様）に、閉鎖部材３３０の比較的円滑な動作が達成されるように、壁３１６から開口面部分３５２に向かって徐々に上昇するカム面３５０を含む。
【００５７】
閉鎖部材３３０’の密封面３３４’の開口面部分３５２を通り越す運動は、例示的な実施形態では、停止部３５４によって防止され、この停止部３５４は、図示した実施形態では、閉鎖部材保持器３４２から延びている。
【００５８】
必ずしも必要というわけではないが、比較的フラットであり、図示した実施形態では、開口部３２２を通って延在する軸３１１に対して垂直である平面内に位置する開口面部分３５２をカム面３５０に提供することは有益であり得る。開口部３５２及び軸３１１に対する開口面部分３５２の向きは、閉鎖部材３３０’の密封面３３４’による開口部３２２の改善された閉鎖をもたらす可能性があり得る。
【００５９】
ベントアセンブリ及びこのベントアセンブリが使用され得るリザーバの例示的な実施形態が説明され、いくつかの可能な変形に対して言及されてきた。本発明におけるこれら及び他の変形及び改変は本発明の範囲から逸脱することなく当業者にとって明らかであり、本発明が本明細書に記載される例示的実施形態に限定されないことは理解されるべきである。したがって、本発明は、以下に提供されている請求項及びその同等物によってのみ制限されるべきである。
本発明の実施態様の一部を以下の項目［１］−［２３］に記載する。
［項目１］
内部容積を画定するリザーバの壁に形成され、かつ前記リザーバの前記内部容積と流体連通する開口部と、
前記開口部に近接する前記リザーバの前記壁上に保持され、ガス抜き位置と非ガス抜き位置との間で移動するよう構成され、前記非ガス抜き位置にある際には前記開口部を閉じ、前記ガス抜き位置にある際には前記開口部を閉じない密封面を備える閉鎖部材と、
前記閉鎖部材が前記ガス抜き位置にあるときに前記閉鎖部材を前記リザーバの前記壁上に保持するよう構成される閉鎖部材保持器と、
前記閉鎖部材が前記非ガス抜き位置に移動される際に前記閉鎖部材に対して圧縮力を発生するよう構成されたカム面と、を備えるベントアセンブリであって、
前記密封面が前記開口部の真上に位置付けられる際に、前記圧縮力が前記閉鎖部材の前記密封面を前記リザーバの前記壁に対して押し込む、ベントアセンブリ。
［項目２］
前記閉鎖部材が、前記ガス抜き位置と前記非ガス抜き位置との間で直線移動するように構成されている、項目１に記載のベントアセンブリ。
［項目３］
前記閉鎖部材が、前記ガス抜き位置と前記非ガス抜き位置との間で移動する際に、前記リザーバの前記壁を通って延在する軸の周りに回転するように構成されている、項目１に記載のベントアセンブリ。
［項目４］
前記カム面が、前記閉鎖部材と前記リザーバの前記壁との間に位置し、
前記閉鎖部材の前記ガス抜き位置から前記非ガス抜き位置までの回転によって前記閉鎖部材保持器と前記カム面との間に圧縮力が発生し、それにより、前記密封面が前記開口部の真上に位置付けられる際に前記閉鎖部材が前記リザーバの前記壁に対して押し込まれる、項目３に記載のベントアセンブリ。
［項目５］
前記閉鎖部材が、前記リザーバの前記壁から延在するポスト上に取り付けられ、
前記閉鎖部材が、前記ポスト上で回転するように構成され、
前記閉鎖部材保持器が、前記ポスト上に位置し、かつ前記閉鎖部材が前記ガス抜き位置にある際に前記閉鎖部材を前記ポスト上に保持するように構成され、
前記密封面が前記開口部の真上に位置付けられる際に、前記圧縮力が前記閉鎖部材保持器と前記カム面との間で発生される、項目３に記載のベントアセンブリ。
［項目６］
前記閉鎖部材保持器が、前記軸に対して前記ポストから外側に延在する肩部を備える、項目５に記載のベントアセンブリ。
［項目７］
前記閉鎖部材は、前記ポストに対向する内側面と、前記リザーバの前記壁の逆方向を向いた上面と、を備え、
前記閉鎖部材が、前記内側面と前記上面との間に段階的な移行部を備え、
前記内側面の上縁は、前記閉鎖部材の前記上面の内縁と一致しない、項目６に記載のベントアセンブリ。
［項目８］
前記閉鎖部材保持器の前記肩部が、前記閉鎖部材が前記非ガス抜き位置にある際に前記閉鎖部材の前記内側面の前記上縁に接触する、項目７に記載のベントアセンブリ。
［項目９］
前記開口部が、前記カム面を通って延在する、項目３〜８のいずれか一項に記載のベントアセンブリ。
［項目１０］
前記カム面が、前記閉鎖部材を回転させる前記軸に対して垂直な平面内に位置する開口面部分を備え、
前記開口部が、前記カム面の前記開口面部分を通って延在する、項目９に記載のベントアセンブリ。
［項目１１］
前記リザーバが、穴と、前記穴の真上で前記リザーバに取り付けられる際に前記穴を閉じるよう構成された着脱可能な蓋と、を備える、項目１〜１０のいずれか一項に記載のベントアセンブリ。
［項目１２］
前記リザーバが、前記穴の反対側に位置する基部を備え、前記開口部が、前記基部内に位置する、項目１１に記載のベントアセンブリ。
［項目１３］
前記ベントアセンブリの前記開口部が、前記蓋内に位置する、項目１１に記載のベントアセンブリ。
［項目１４］
前記ベントアセンブリは、前記閉鎖部材が前記非ガス抜き位置にある際に前記閉鎖部材の移動を一方向に制限するように構成された停止部を備える、項目１〜１３のいずれか一項に記載のベントアセンブリ。
［項目１５］
前記停止部が、前記リザーバの前記壁から突出する、項目１４に記載のベントアセンブリ。
［項目１６］
前記停止部が、前記カム面に近接して位置する、項目１４に記載のベントアセンブリ。
［項目１７］
前記ベントアセンブリが、複数の開口部を備え、
前記閉鎖部材が、複数の密封面を備え、
前記閉鎖部材が前記非ガス抜き位置にある際に、前記複数の開口部の各開口部が前記複数の密封面のうちの１つの密封面によって閉じられる、項目１〜１６のいずれか一項に記載のベントアセンブリ。
［項目１８］
前記閉鎖部材が、複数のレリーフ面を備え、
前記閉鎖部材が前記ガス抜き位置にある際に、１つのレリーフ面が前記複数の開口部の各開口部の上方に位置付けられる、項目１７に記載のベントアセンブリ。
［項目１９］
前記ベントアセンブリが、複数のカム面を備え、
前記複数の開口部の各開口部が、前記複数のカム面の１つのカム面内に位置し、
前記閉鎖部材が前記非ガス抜き位置にある際に、前記複数の開口部の各開口部が前記複数の密封面のうちの１つの密封面によって閉じられる、項目１７〜１８のいずれか一項に記載のベントアセンブリ。
［項目２０］
ベントアセンブリを開閉する方法であって、
閉鎖部材を非ガス抜き位置とガス抜き位置との間で移動させる工程を含み、
前記閉鎖部材が前記非ガス抜き位置にある際には前記閉鎖部材上の密封面が前記開口部を閉じ、前記閉鎖部材が前記ガス抜き位置にある際には前記密封面が前記開口部を閉じず、
前記閉鎖部材の前記ガス抜き位置から前記非ガス抜き位置への移動によって前記閉鎖部材に圧縮力が発生し、それにより、前記密封面が前記開口部の真上に位置付けられる際に前記封鎖部材の前記密封面が前記リザーバの前記壁に対して押し込まれる、方法。
［項目２１］
ベントアセンブリを開閉する方法であって、
リザーバの壁から延在するポスト上に取り付けられた閉鎖部材を回転させる工程を含み、
前記閉鎖部材が、前記ポスト及び前記壁を通って延在する軸の周りに前記ポスト上で回転し、
前記閉鎖部材が、非ガス抜き位置とガス抜き位置との間で回転し、
前記非ガス抜き位置では前記閉鎖部材上の密封面が前記開口部を閉じ、前記ガス抜き位置では前記密封面が前記開口部を閉じず、
前記閉鎖部材の前記ガス抜き位置から前記非ガス抜き位置への回転によって前記ポスト上の閉鎖部材保持器と前記リザーバの前記壁上のカム面との間で前記閉鎖部材に圧縮力が発生し、それにより、前記密封面が前記開口部の真上に位置付けられる際に前記閉鎖部材の前記密封面が前記リザーバの前記壁に対して押し込まれる、方法。
［項目２２］
前記閉鎖部材が、前記ポストの外面上に位置する肩部を備え、
前記閉鎖部材が前記非ガス抜き位置にある際に、前記閉鎖部材が前記肩部と前記カム面との間で圧縮される、項目２１に記載の方法。
［項目２３］
前記閉鎖部材が、前記ポストに対向する内側面と、前記リザーバの前記壁の逆方向を向いた上面と、を備え、
前記閉鎖部材が、前記内側面と前記上面との間に段階的な移行部を備え、
前記内側面の上縁は、前記閉鎖部材の前記上面の内縁と一致せず、
前記閉鎖部材が前記非ガス抜き位置にある際に、前記閉鎖部材保持器の前記肩部が前記閉鎖部材の前記内側面の前記上縁に接触する、項目２２に記載の方法。
【図１】
0006306584.tif 000002
【図２】
0006306584.tif 000003
【図３】
0006306584.tif 000004
【図４】
0006306584.tif 000005
【図５】
0006306584.tif 000006
【図６】
0006306584.tif 000007
【図７】
0006306584.tif 000008
【図８】
0006306584.tif 000009
【図９】
0006306584.tif 000010
【図１０】
0006306584.tif 000011
【図１１】
0006306584.tif 000012
【図１２】
0006306584.tif 000013
【図１３】
0006306584.tif 000014
【図１４】
0006306584.tif 000015